(57)【要約】【課題】通信媒体や記録媒体を介して流通するデータを保護する。【解決手段】  デジタルカメラ１の付属部品にＲＦＩＤタグ３を設ける。ＲＦＩＤタグ３には、付属部品２のＩＤが記録されている。デジタルカメラ１は、撮影した画像をＪＰＥＧ形式のファイルに格納する。ＣＰＵ２０は、ファイルのヘッダに付属部品２のＩＤを付加する。ＣＰＵ２０は、ＩＤが一致する付属部品２を所有するユーザにのみ画像の閲覧権を与える。【選択図】図７
2006018498.tif 000002
【特許請求の範囲】
【請求項１】
識別情報を保持する識別情報保持手段を備える付属部品と、
上記識別情報保持手段に保持された情報を読み取る読取手段と、
上記読取手段が読み取った上記付属部品の識別情報を記録すべき所定の情報に付加する識別情報付加手段と、
上記識別情報が付加された情報を記録媒体に記録する記録制御手段と
を備えることを特徴とする電子機器。
【請求項２】
上記記録媒体に記録された情報を読み出す際、当該情報に付加された付属部品の識別情報と、上記読取手段が読み取った付属部品の識別情報とを比較する識別情報比較手段と、
上記情報に付加された付属部品の識別情報と上記読取手段が読み取った付属部品の識別情報とが一致したときに上記記録媒体に記録された情報を読み出す読出制御手段と
を備えることを特徴とする請求項１記載の電子機器。
【請求項３】
上記識別情報保持手段は、ＲＦＩＤタグであることを特徴とする請求項１記載の電子機器。
【請求項４】
上記情報に付加された付属部品の識別情報と上記読取手段が読み取った付属部品の識別情報とが一致したときに、上記記録媒体に記録された情報に付加される識別情報を追加及び変更する識別情報更新手段を備えることを特徴とする請求項１記載の電子機器。
【請求項５】
上記記録制御手段は、上記識別情報と、該識別情報が付加された情報とを１つのファイルに格納することを特徴とする請求項１記載の電子機器。
【請求項６】
ＲＦＩＤタグを備える付属部品と、
上記ＲＦＩＤタグに記録された情報を読み取る読取手段と、
画像を撮影する撮影手段と、
上記撮影手段が撮影した画像と上記読取手段が読み取った上記付属部品の識別情報とを含むファイルを生成するファイル生成手段と、
上記ファイル生成手段が生成したファイルを記録媒体に記録する記録制御手段と
を備えることを特徴とするデジタルカメラ。
【請求項７】
上記記録媒体に記録されたファイルを読み出す際、当該ファイルに格納された付属部品の識別情報と、上記読取手段が読み取った付属部品の識別情報を比較する識別情報比較手段と、
上記ファイルに格納された付属部品の識別情報と、上記読取手段が読み取った付属部品の識別情報とが一致したときに上記記録媒体に記録された情報を読み出す読出制御手段と
を備えることを特徴とする請求項６記載のデジタルカメラ。
【請求項８】
上記付属部品は、当該デジタルカメラに取り付けられるストラップ、当該デジタルカメラの電源となる着脱自在のバッテリ、当該デジタルカメラに装着される半導体メモリのうちの少なくとも１つであることを特徴とする請求項６記載のデジタルカメラ。
【請求項９】
通信媒体若しくは記録媒体を介して情報を取得する情報取得手段と、
付属部品の識別情報を読み取る読取手段と、
上記情報取得手段が取得した情報に付加された識別情報と、上記読取手段が読み取った識別情報とを比較する識別情報比較手段と、
上記情報取得手段が取得した情報に付加された識別情報と、上記読取手段が読み取った識別情報とが一致したときに上記情報取得手段が取得した情報へのアクセスを許可するアクセス制限手段と
を備えることを特徴とする情報処理装置。
【発明の詳細な説明】
【技術分野】
【０００１】
本発明は、付属部品を脱着することができる電子機器及びデジタルカメラ、及び上述した電子機器及びデジタルカメラから取得した情報を利用する情報処理装置に適用される。
【背景技術】
【０００２】
現在、デジタルカメラの普及や通信速度の高速化により、電子的な写真である画像情報をやり取りする機会が増えている。電子的な写真は、デジタル画像情報であるため、紙に記録された写真と比較して、複製が容易である。そのため、電子的な写真を他人に与えてしまうと、その写真が自身の知らないところで勝手に送信されたり、自身の知らないところで公開されたりしてしまう可能性が高い。電子的な写真の複製や転送を防止するための暗号化技術が存在するが、パスワードが煩わしく、機械に不得手なユーザにとっては非常に不便なシステムとなる。
【０００３】
従来、暗号化されたデータを記録媒体に記録し、このデータを復号する復号鍵を情報提供者から受け取り、記録媒体に取り付けられたＲＦＩＤチップに復号鍵を記録する情報保護管理システムが存在する（特許文献１参照）。
【０００４】
しかしながら、暗号化したデータを復号化すると、このデータは、閲覧可能なデータになるため、通常のデータと同様に、自身の知らないところで勝手に送信されたり、自身の知らないところで公開されたりしてしまう可能性が生じる。
【０００５】
【特許文献１】特開２００３−６９５４９号公報
【発明の開示】
【発明が解決しようとする課題】
【０００６】
本発明は、通信媒体や記録媒体を介して流通するデータを保護する電子機器及びデジタルカメラ、及びこれらの電子機器やデジタルカメラから取得した情報を利用する情報処理装置を提供することを目的とする。
【課題を解決するための手段】
【０００７】
本発明にかかる電子機器は、識別情報を保持する情報保持手段を備える付属部品と、識別情報保持手段に保持された情報を読み取る読取手段と、読取手段が読み取った付属部品の識別情報を画像情報等の所定の記録すべき情報に付加する識別情報付加手段と、識別情報が付加された情報を記録媒体に記録する記録制御手段とを備える。
【０００８】
また、本発明にかかるデジタルカメラは、ＲＦＩＤタグを備える付属部品と、ＲＦＩＤタグに記録された情報を読み取る読取手段と、画像を撮影する撮影手段と、撮影手段が撮影した画像と読取手段が読み取った付属部品の識別情報とを含むファイルを生成するファイル生成手段と、ファイル生成手段が生成したファイルを記録媒体に記録する記録制御手段とを備える。
【０００９】
さらに、情報処理装置は、通信媒体若しくは記録媒体を介して情報を取得する情報取得手段と、付属部品の識別情報を読み取る読取手段と、情報取得手段が取得した情報に付加された識別情報と読取手段が読み取った識別情報とを比較する識別情報比較手段と、情報取得手段が取得した情報に付加された識別情報と読取手段が読み取った識別情報とが一致したときに情報取得手段が取得した情報へのアクセスを許可するアクセス制限手段とを備える。
【発明の効果】
【００１０】
本発明における電子機器は、電子機器の付属部品の識別情報を読み取り、識別情報を所定の情報に付加して、記録手段に記録する。電子機器は、記録手段に記録した情報を読み出すとき、読み出す情報に付加された付属部品の識別情報と、電子機器に取り付けられている付属部品の識別情報とを比較する。そして、これらの識別情報が一致したときに情報を読み出す。
【００１１】
本発明における電子機器では、付属部品の識別情報が情報の読み出しを制限するための鍵となる。特定の識別情報が記録された付属部品を所有しているユーザしか、情報を読み出すことができないので、ユーザの知らないところで情報が閲覧されるということがない。
【００１２】
また、本発明における電子機器では、ユーザがパスワードなどを入力しなくとも、付属部品の取り付け、取り外しという動作を行うだけで、識別情報を切り替えることができる。そのため、入力作業が不要になり、機械操作の不得意なユーザでも簡単に画像の閲覧制限をかけることができる。
【発明を実施するための最良の形態】
【００１３】
本発明は、着脱可能な付属部品を備えた電子機器に適用される。本発明では、付属部品にＲＦＩＤタグを設け、ＲＦＩＤタグに付属部品のＩＤを記録する。電子機器は、新たに入力したデータに付属部品のＩＤを付加する。付属部品のＩＤは、データのアクセス権を制御するための制御情報となる。電子機器は、データのアクセスを制御する処理としてデータに付加された付属部品のＩＤと電子機器に取り付けられた付属部品のＩＤとを比較する。そして、これらのＩＤが一致したときデータへのアクセスを許可する。
【００１４】
以下、図面を参照して本発明を適用したデジタルカメラ１について説明する。デジタルカメラ１は、図１に示すように、着脱可能の付属部品２を備える。図中では、符号２ａをデジタルカメラに取り付けられるストラップ、符号２ｂをデジタルカメラに装着されるバッテリ、符号２ｃをデジタルカメラに挿入されるカード型の半導体メモリ２ｃで示す。本発明を適用したストラップ２ａ、バッテリ２ｂ、半導体メモリ２ｃは、それぞれのＩＤを記録したＲＦＩＤタグ３ａ，３ｂ，３ｃが設けられている。デジタルカメラ１は、画像の撮影時に取り付けられている付属部品２のＩＤを読み出し、撮影した画像に付加する。また、デジタルカメラ１は、画像に付加された付属部品のＩＤと自身に取り付けられている付属部品のＩＤとを比較し、これらが一致するときに画像の読み出しを許可する。
【００１５】
図２は、デジタルカメラ１のハードウェア構成を示すブロック図である。被写体からの光は、レンズ１０ブロックを通ってＣＣＤ（Charge Coupled Device）１１に結像する。ＣＣＤ１１は、光を電気信号に変換して、ＣＡＭ（Content Addressable Memory）１２に出力される。ＣＡＭ１２に蓄えられた画像は、ＳＤＲＡＭ（Synchronous DRAM）インターフェースモジュールを経由してＳＤＲＡＭ１３に出力される。ＳＤＲＡＭ１３には、キャプチャ領域１３ａ、記録画像用領域１３ｂ、表示画像用領域１３ｃに区分されている。ＣＣＤ１１から出力された画像は、キャプチャ領域１３ａに格納される。キャプチャ領域１３ａは、画像の一時記憶領域である。
【００１６】
キャプチャ領域１３ａに格納された画像は、サイズ変換部１４に出力される。サイズ変換部１４は、入力した生画像を指定画像サイズに変更する。サイズ変換部１４は、記録画像用領域１３ｂと表示画像用領域１３ｃとに出力する。表示画像用領域１３ｃに出力された画像は、ビデオ復号化部１５によってＲＧＢ信号に変換され、表示部１６に出力される。一方、記録画像用領域１３ｂに出力された画像は、ＪＰＥＧ（Joint Photographic Experts Group）符号化部１７によりＪＰＥＧ圧縮が施される。ＪＰＥＧ圧縮がかけられた画像は、マイクロコントローラ１８に出力される。
【００１７】
マイクロコントローラ１８は、ＣＰＵ２０の一機能として実現される。マイクロコントローラ１８は、補助記録装置１９を制御し、補助記録装置１９へのデータの読み書きを行う。補助記録装置１９としては、小型のＨＤＤ（Hard Disk Drive）、半導体メモリ、光ディスクなどがある。
【００１８】
ＲＦＩＤ読取部２２は、図３に示すように、入力用アンテナ３０、出力用アンテナ３１、変調部３２、復調部３３、コントローラ３４を備える。変調部３２は、コントローラ３４からの制御情報を受けて特定周波数の電磁波を出力用アンテナ３１から出力する。ＲＦＩＤタグ３は、電磁波を起電力として記録している付属部品２のＩＤを送信する。復調部３３は、入力用アンテナ３０が受信した電波を復調してコントローラ３４に出力する。コントローラ３４は、インターフェース３５を介してユーザ固有のＩＤをＣＰＵ２０に出力する。
【００１９】
ＣＰＵ２０は、ＪＰＥＧ圧縮がかけられた画像にヘッダやサムネイル画像を追加して、ＥＸＩＦ（EXchangeable Image file Format）ファイルを生成する。なお、画像のファイル形式は、ＪＦＩＦ（Jpeg File Interchange Format）ファイルやＪＰＥＧ形式以外の静止画ファイル、あるいは動画ファイル等でもよい。
【００２０】
ＣＰＵ２０は、ＥＸＩＦファイルに閲覧制御情報を付加する。閲覧制御情報は、ＣＰＵ２０が閲覧制限処理を実行するときに参照する情報である。閲覧制御情報には、撮影時に取り付けられていた付属部品２のＩＤ、閲覧権を施行するか否かを示す情報などが含まれる。
【００２１】
図４は、ＥＸＩＦファイルを生成するまでの過程を説明するフローチャートである。ユーザがデジタルカメラ１の電源を入れると（ステップＳ１１）、ＣＰＵ２０は、ＲＦＩＤ読取部２２を起動する。ＲＦＩＤ読取部２２は、ＲＦＩＤタグ３の読み取りを開始する（ステップＳ１２）。デジタルカメラ１に付属部品２が装着されているとき、付属部品２のＲＦＩＤタグ３は、特定周波数の電磁波を起電力として付属部品２のＩＤを出力する。ＣＰＵ２０は、ＲＦＩＤ読取部２２が読み取った付属部品２のＩＤを入力する（ステップＳ１３；ＹＥＳ）。一方、付属部品２が装着されていないとき、ＣＰＵ２０は、付属部品２のＩＤを取得することができない（ステップＳ１３；ＮＯ）。ＣＰＵ２０は、ＲＦＩＤ読取部２２に定期的に制御信号を出力して、ＲＦＩＤタグ３の読み取りを繰り返す。
【００２２】
ＣＰＵ２０は、付属部品のＩＤをＥＥＰＲＯＭ（Electrically-Eraserble and Programmable ROM）２１などのメモリに記録する（ステップＳ１３）。ユーザが画像を撮影すると、撮影した画像は、ＪＰＥＧ符号化部１７においてＪＰＥＧ圧縮され、ＣＰＵ２０に出力される（ステップＳ１４）。ＣＰＵ２０は、サムネイル画像やヘッダ情報を作成して、ＥＸＩＦファイルを生成する。ヘッダ情報には、付属部品２のＩＤが付加される（ステップＳ１５）。付属部品２のＩＤなど画像の閲覧に関連する情報を閲覧制御情報と呼ぶ。ＣＰＵ２０は、作成したＥＸＩＦファイルを補助記録装置１９に記録する（ステップＳ１６）。
【００２３】
上述した手順で作成された閲覧制御情報は、表示画面上で編集することができる。閲覧制御情報を編集する権利は、画像の撮影時に装着されていた付属部品の所有者に与えられる。具体的に説明すると、ＣＰＵ２０は、閲覧制御情報の編集画面を表示する前に、デジタルカメラ１に装着された付属部品２のＩＤを取得し、取得したＩＤとＥＸＩＦファイルに格納された付属部品のＩＤとを比較する。ＣＰＵ２０は、これらのＩＤが一致したときに閲覧制御情報の編集を許可する。
【００２４】
図５は、閲覧権を施行するか否かを入力する入力画面の例である。ユーザは、デジタルカメラ１を操作して図５（ａ）に示すメニュー画面４１を開き、メニュー画面のツールバー４３を操作して閲覧権設定メニュー画面４２を開く。閲覧権設定メニュー画面４２には、閲覧権施行の有無を選択するリストボックス４３が設けられている。ＣＰＵ２０は、ユーザから閲覧権施行の有無が選択されると、この情報を画像ファイルに付加する。また、閲覧権設定メニュー画面４２において、コピーの「可・不可」や印刷の「可・不可」などを設定できるようにしてもよい。
【００２５】
閲覧制御情報は、変更することもできる。図６は、閲覧制御情報の変更内容を入力する入力画面の例である。ユーザは、図６（ａ）に示す画面５１において任意の画像５２を選択し、図６（ｂ）のメニューバー５３において選択した画像５２の閲覧制御情報の変更を指示する。ＣＰＵ２０は、この指示に応じて図６（ｃ）に示す設定変更画面５４を開く。設定変更画面５４には、閲覧権施行の有無を選択するチェックボタン５５と、閲覧を許可するＩＤを入力するテキストボックス５７と、テキストボックス５７に入力されたＩＤの追加を指示する追加ボタン５６とが設けられている。ＣＰＵ２０は、追加ボタン５６が押下されると、テキストボックス５７に入力されたＩＤを閲覧可能なＩＤとしてＥＸＩＦファイルの閲覧権制御情報に書き込む。これにより、撮影者以外の人の閲覧を許可したり、複数の人の閲覧を許可したりすることができる。
【００２６】
ＣＰＵ２０は、付属部品のＩＤと閲覧制御情報とを用いて画像の閲覧制限をかける。図７のフローチャートを参照して閲覧制限処理について説明する。ユーザが画像の再生を指示すると（ステップＳ２１）、ＣＰＵ２０は、ＥＸＩＦファイルに記述された閲覧制御情報を読み出し、指定された画像の閲覧権を施行するか否かをチェックする。閲覧権を施行しない場合（ステップＳ２２；ＮＯ）、ＣＰＵは、画像の読み出しを開始する（ステップＳ２３）。一方、閲覧権を施行する場合（ステップＳ２２；ＹＥＳ）、ＣＰＵ２０は、ＲＦＩＤ読取部２２にＲＦＩＤタグ３の読み取りを指示する（ステップＳ２４）。ＣＰＵ２０は、ＲＦＩＤ読取部２２から読取結果を取得すると（ステップＳ２５；ＹＥＳ）、ＲＦＩＤタグ３の読み取り結果と画像に付加されたＩＤとを比較する。ＲＦＩＤタグ３の読み取り結果と閲覧制御情報に記述されたＩＤとが等しいとき（ステップＳ２６；ＹＥＳ）、ＣＰＵ２０は、画像の読み出し処理を開始する（ステップＳ２３）。一方、ＲＦＩＤタグ３の読み取り結果と閲覧制御情報に記述されたＩＤとが異なるとき（ステップＳ２６；ＮＯ）、ＣＰＵ２０は、画像の読み取りを中断し、「閲覧できません」といったエラーメッセージを表示させる（ステップＳ２７）。一方、ＲＦＩＤ読取部２２が読み取り結果を取得できなかった場合にも（ステップＳ２５；ＮＯ）、ＣＰＵ２０は、画像の読み取りを中断し、「閲覧できません」といったエラーメッセージを表示する（ステップＳ２７）。
【００２７】
閲覧制御情報は、ＥＸＩＦファイルに埋め込まれているので、パーソナルコンピュータやサーバのようなデジタルカメラ１以外の装置であってもＥＸＩＦファイルに埋め込まれた閲覧制御情報に記述された閲覧制限をかけることができる。
【００２８】
図８は、ＥＸＩＦファイルに格納された画像をパーソナルコンピュータで閲覧する様子を模式的に示す。この図において、パーソナルコンピュータ４は、ＲＦＩＤタグ３の読取機５と接続されている。パーソナルコンピュータ４は、半導体メモリの読取用ソケットが設けられている。ストラップ２ａには、ＲＦＩＤタグ３ａが設けられている。
【００２９】
ユーザが半導体メモリをパーソナルコンピュータ４に装着し、ストラップ２ａを読取機５に近づけ、半導体メモリに記録されたＥＸＩＦファイルを表示しようとすると、パーソナルコンピュータ４は、ＥＸＩＦファイルの閲覧制御を開始する。
【００３０】
パーソナルコンピュータ４の閲覧制御は、デジタルカメラ１と同様である。パーソナルコンピュータ４は、読取機５に装着されたストラップ２ａのＩＤと、ＥＸＩＦファイルに格納されたＩＤとを比較し、これらが一致するとＥＸＩＦファイルの画像情報の閲覧許可を与える。
【００３１】
また、ＥＸＩＦファイルに複数のＩＤが登録して、複数のユーザに画像を閲覧権を与えることができる。図９は、複数のユーザが画像を閲覧する様子を模式的に示している。図９に示すＥＸＩＦファイル８には、３つのＩＤが格納されている。これらのＩＤは、ストラップ６ａ，６ｂ，６ｃのＩＤである。画像を編集する権利は、画像を撮影したときにデジタルカメラ１に取り付けられていたストラップ（ここでは、ストラップ６ａ）の所有者が持っている。ストラップ６ａの所有者は、パーソナルコンピュータ４ａ又はデジタルカメラ１の表示部に図６に示すような画面を表示させてストラップ６ｂ及びストラップ６ｃのＩＤであるＩＤ２とＩＤ３を登録する。これにより、ストラップ６ｃを所有するユーザであっても画像を閲覧することができる。
【００３２】
以上説明したように、本発明を適用したデジタルカメラ１は、ＲＦＩＤ読取部２２を備え、付属部品２に取り付けられたＲＦＩＤタグ３から付属部品２のＩＤを読み取る。そして、撮影した画像とこの画像を撮影したときに装着されている付属部品２のＩＤとを含むＥＸＩＦファイルを生成する。デジタルカメラ１は、画像を読み出す前に、自身に装着された付属部品２のＩＤとＥＸＩＦファイルに格納された付属部品２のＩＤとを比較し、これらのＩＤが一致しない場合には画像の読み出しを拒否する。
【００３３】
本発明を適用したデジタルカメラ１では、ＥＸＩＦファイルが閲覧制御情報を含み付属部品２のＩＤがなければ画像を表示することができない。そのため、画像がユーザの予期せぬところで公開されることを防止することができる。
【００３４】
また、本実施の形態では、閲覧制御情報を編集して複数の付属部品２のＩＤや撮影時に記録した付属部品２以外のＩＤを閲覧制御情報に登録することができる。閲覧制御情報は、デジタルカメラ１、パーソナルコンピュータや汎用コンピュータなどの電子機器で編集することも可能である。
【００３５】
さらに、ＲＦＩＤ読取部が付属部品２のＩＤを読み取るため、ユーザがＩＤを入力する必要がなく、機械操作が不得意な人でも簡単に画像の閲覧制限をかけることができる。
【００３６】
次いで、閲覧制御情報のＥＸＩＦファイルへの格納方法の一例を具体的に説明する。ＥＸＩＦファイルは、図１０に示すようにファイルの先頭を示すＳＯＩ（Start Of Image）６１、ＴＩＦＦ形式のデータを格納するＡＰＰ１（Exif data）６２及びＡＰＰ２（Contents List Data,Stream Data）６３、ＪＰＥＧ形式のデータを格納するＪＰＥＧＴａｂｌｅ６４及びＪＰＥＧ圧縮画像６５、ファイルの終端を示すＥＯＩ（End Of Image）６６とから構成される。ＡＰＰ１は、サムネイル画像や撮影情報を格納する部分であり、ＥＸＩＦデータ部６２と呼ばれる。ＥＸＩＦデータ部６２は、図１１に示すように、先頭にＴＩＦＦヘッダ部７１が配置され、続いてＩＦＤ（Image File Directory）７２が配置されている。
【００３７】
閲覧制御情報は、ＩＦＤ７２に格納される。ＩＦＤ７２は、図１２に示すように、タグ８１、データの型８２、データのカウント８３、データポインタまたはデータフィールド８４の情報を持っている。タグ８１は、データフィールド８４にどのようなデータが格納されているかを識別するためのコード番号になっている。
【００３８】
ここでは、タグ８１が３３４３２（８２９８．Ｈ）であるデータフィールドには、著作権情報が格納される。本実施例では、データフィールドの先頭５ビットに閲覧権の施行に関する情報を記述する。具体的に説明すると、先頭５ビットは、それぞれ、private  bit、protect  bit、public  bitという名前が割り振られており、private  bitは撮影者以外への公開の有無、protect  bitは仲間内への公開の有無、public  bitは全てに対する公開の有無が入力される。ここでは、公開しない場合にはビットを０にし、公開する場合にはビットを１にする。
【００３９】
複数のＩＤは、ユーザコメントに記述する。ユーザコメントのタグ８１は、３７５１０（９２８６．Ｈ）である。このデータフィールド８４には、データポインタを記述する。データポインタは、データ部７３におけるユーザコメントの実際の格納場所を示している。
【図面の簡単な説明】
【００４０】
【図１】デジタルカメラの外観を示す図である。
【図２】デジタルカメラの構成を示すブロック図である。
【図３】ＲＦＩＤ読取部の構成を示すブロック図である。
【図４】ＥＸＩＦファイルを作成する過程を説明するフローチャートである。
【図５】閲覧権を施行するか否かを入力する入力画面を示す図である。
【図６】閲覧制御情報の変更内容を入力する入力画面を示す図である。
【図７】閲覧制限をかける処理の手順を説明するフローチャートである。
【図８】閲覧制限がかけられた画像をパーソナルコンピュータで閲覧するときの様子を模式的に示した図である。
【図９】複数のユーザに閲覧権限を与えたときの様子を模式的に示した図である。
【図１０】ＥＸＩＦファイルの構成を示す図である。
【図１１】ＥＸＩＦデータ部の構成を示す図である。
【図１２】ＩＦＤの構成を示す図である。
【符号の説明】
【００４１】
１  デジタルカメラ、２  付属部品、２ａ  ストラップ、２ｂ  バッテリ、２ｃ  半導体メモリ、３  ＲＦＩＤタグ、１６  表示部、１８  マイクロコントローラ、１９  補助記録装置、２０  ＣＰＵ、２２  ＲＦＩＤ読取部
【図１】
2006018498.tif 000003
【図２】
2006018498.tif 000004
【図３】
2006018498.tif 000005
【図４】
2006018498.tif 000006
【図５】
2006018498.tif 000007
【図６】
2006018498.tif 000008
【図７】
2006018498.tif 000009
【図８】
2006018498.tif 000010
【図９】
2006018498.tif 000011
【図１０】
2006018498.tif 000012
【図１１】
2006018498.tif 000013
【図１２】
2006018498.tif 000014